(57)【特許請求の範囲】
【請求項１】
擁壁等の緑化において土壌を保持するためのアンカ−であって、
壁面に打ち込まれるアンカピンと、このアンカピンの上端側に固定される羽根体と、を備え、
このアンカピンの上端は前記羽根体の上縁と面一状、あるいはそれよりも低い位置で該羽根体に対して固定され、
さらに、壁面に打ち込まれた羽根体には、前記擁壁の壁表面に植物の根を保持する基盤砂を吹き付けた後に該基盤砂上面から突出し、かつ、同基盤砂上面に披着する保護網の引き上げを行なう際に同保護網の引き上げ方向に屈曲し得る係止手を備えてなる擁壁等の緑化用アンカ−。
【請求項２】
前記係止手は、一部が前記羽根体に固定されたある程度の可撓性を備えた金属線条又は金属板である請求項１記載の擁壁等の緑化用アンカ−。
【請求項３】
前記係止手は、前記羽根体本体に設けられ、前記保護網の引き上げ方向にのみ回動可能に取り付けられた変向部を備えてなる請求項１記載の擁壁等の緑化用アンカ−。
【請求項４】
前記羽根体は、保湿部材が披着されてなる請求項１ないし３のいずれかに記載の擁壁等の緑化用アンカ−。
【請求項５】
アンカピンと、このアンカピンの上端側に固定される羽根体と、を備え、このアンカピンの上端は前記羽根体の上縁と面一状、あるいはそれよりも低い位置で該羽根体に対して固定され、さらに、該羽根体には、上端部分が屈曲可能な係止手が設けられた緑化用アンカーを擁壁等の壁面に打ち込み、
その後、前記擁壁表面に植物の根を保持する基盤砂を吹き付け、
同基盤砂の上面から連続的に牽引して保護網を該基盤砂表面に被着させ、前記係止手を該保護網に係止させてなる擁壁等の緑化用アンカ−を用いた擁壁等に対する保護網の架設方法。
【発明の詳細な説明】
【０００１】
【産業上の利用分野】
本発明は、コンクリ−トやモルタル等の擁壁面を緑化するための擁壁緑化用アンカ−及びそれを用いた擁壁等に対する保護網の架設方法に関する。
【０００２】
【従来の技術】
従来、コンクリ−トやモルタル等を打設して強化した擁壁面は、固化したコンクリ−トが直接露出して近隣の緑の環境を破壊するため、新設の擁壁面は勿論、既設の擁壁面においても、表面を緑化して緑の環境を保護することが推進されている。
そこで出願人は、図８に示すように、擁壁面に羽根板付アンカ−を打ち込み、この羽根板付アンカ−の相互の間隙に基盤砂を付着させて土壌層を形成し、この土壌層の上面で植物を植生させて擁壁面を緑化する擁壁面の緑化方法を提案し、特許第１７０４３４６号として登録を受けた。この羽根板付きアンカ−は図に示すように基盤砂を壁面に吹きつけ、あるいは流下させて固化した後にアンカピンの突出部分を利用して保護網を係着固定させていた。
【０００３】
【発明が解決しようとする問題点】
しかしながら、上記擁壁面の緑化方法に用いられる羽根板付きアンカ−では、保護網の引き上げ作業時に、擁壁面に点在する羽根板付アンカ−のピン突出部に保護網の編み目が引っかかって作業中断を余儀なくされ、連続して短時間で一気に引き上げを行なうことができずに同保護網引き上げ作業効率は悪いものであった。また、法面上を補助作業者が移動しながら引っ掛かり除去を行なわなければならず作業者の落下事故等の危険を伴う作業であった。また、保護網の前記羽根板付アンカ−のピンへの固定方法は、単にピンの突出部分に保護網の編み目を引っ掛けるだけで非常に不安定であり、強風等で容易にピンから離脱してしまい被着作業をやり直したり確実性に乏しいという問題点があった。
【０００４】
本発明は、上記従来の問題点に鑑みてなされたものであり、その目的は、基盤砂を施工した壁面へ保護網を壁面の下方より連続的に引き上げ被着が安全かつ容易であるとともに壁面への保護網の係着固定が確実に行なえる擁壁等の緑化用アンカ−及びそれを用いた擁壁等に対する保護網の架設方法を提供することにある。
【０００５】
【問題点を解決するための手段】
上記目的を達成するために、請求項１に係る発明では、擁壁等の緑化において土壌を保持するためのアンカ−であって、壁面１４に打ち込まれるアンカピン１２と、このアンカピン１２の上端側に固定される羽根体１８と、を備え、このアンカピン１２の上端は前記羽根体１８の上縁と面一状、あるいはそれよりも低い位置で該羽根体１８に対して固定され、さらに、壁面１４に打ち込まれた羽根体１８には、前記擁壁の壁表面１４に植物の根を保持する基盤砂１６を吹き付けた後に該基盤砂１６上面から突出し、かつ、同基盤砂１６上面に披着する保護網２２の引き上げを行なう際に同保護網２２の引き上げ方向に屈曲し得る係止手２４を備えて構成される。
【０００６】
請求項２に係る発明では、前記係止手２４は、一部が前記羽根体１８に固定されたある程度の可撓性を備えた金属線条又は金属板でもよい。
【０００７】
請求項３に係る発明では、前記係止手２４は、前記羽根体１８本体に設けられ、前記保護網２２の引き上げ方向にのみ回動可能に取り付けられた変向部３２を備えてなることとしてもよい。
【０００８】
請求項４に係る発明では、前記羽根体１８は、保湿部材３０が披着されてなることとしてもよい。
【０００９】
請求項５に係る発明では、アンカピン１２と、このアンカピン１２の上端側に固定される羽根体１８と、を備え、このアンカピン１２の上端は前記羽根体１８の上縁と面一状、あるいはそれよりも低い位置で該羽根体１８に対して固定され、さらに、該羽根体１８には、上端部分が屈曲可能な係止手２４が設けられた緑化用アンカー１０を擁壁等の壁面１４に打ち込み、その後、前記擁壁表面１４に植物の根を保持する基盤砂１６を吹き付け、同基盤砂１６の上面から連続的に牽引して保護網２２を該基盤砂１６表面に被着させ、前記係止手２４を該保護網２２に係止させてなる擁壁等の緑化用アンカ−を用いた擁壁等に対する保護網の架設方法から構成される。
【００１０】
【発明の実施の形態】
本発明は、擁壁等の緑化において土壌を保持するためのアンカ−であって、壁面に打ち込まれるアンカピンと、このアンカピンの上端側に固定される羽根体と、を備え、このアンカピンの上端は前記羽根体の上縁と面一状、あるいはそれよりも低い位置で該羽根体に対して固定され、さらに、壁面に打ち込まれた羽根体には、前記擁壁の壁表面に植物の根を保持する基盤砂を吹き付けた後に該基盤砂上面から突出し、かつ、同基盤砂上面に披着する保護網の引き上げを行なう際に同保護網の引き上げ方向に屈曲し得る係止手を備えてなる擁壁等の緑化用アンカ−である。羽根体は、平板状に形成してもよく、側面視くの字状曲折部を１個または連続して複数個備えた板状体、側面視波形状の波形部を１個または連続して複数個備えた板状体、側面視コの字を上下に差し違え状に連接して形成した略Ｓ字状の凹凸部を一個または連続して複数個備えた板状体でもよい。
【００１１】
また、前記係止手は、前記係止手は、一部が前記羽根体に固定されたある程度の可撓性を備えた金属線条又は金属板である。係止手は、ハンダ付け、捩り込み、溶接等により強力に羽根体に固定するのが好適である。緑化用アンカーを打ち込んだ後に基盤砂を擁壁面に対して吹き付け、その固化後に保護網を被着させるから、基盤砂の吹き付け時に簡単に壁面側に屈曲してしまって固化後の基盤砂内に埋没しない程度の強度を有するものであるとともに、保護網被着後にこの保護網を係止させて、支持する必要があるから、その時のために係止手の他端部側はは保護網に対して簡単に結束、あるいは結着、ないしは連結できるものであることが好適である。線条、板材の他、ワイヤ、合成のロープその他の任意の素材を用いても良い。
【００１２】
また、前記係止手は、前記羽根体本体に設けられ、前記保護網の引き上げ方向にのみ回動可能に取り付けられた変向部を備えてなる。変向部は、例えば、係止手が通常では一直線になるように付勢バネ付勢され、羽根体に対して枢支連結された変向板のようなものでも良い。また、その他の付勢されつつ枢支された任意の回動部材、あるいは回動機構としても良いものである。
【００１３】
また、前記羽根体は、保湿部材が披着されてなる。羽根体は、断熱材等を披着させてもよくその他防錆処理、塗装、メッキなど表面処理を行なってもよい。
【００１４】
また、本発明は、アンカピンと、このアンカピンの上端側に固定される羽根体と、を備え、このアンカピンの上端は前記羽根体の上縁と面一状、あるいはそれよりも低い位置で該羽根体に対して固定され、さらに、該羽根体には、上端部分が屈曲可能な係止手が設けられた緑化用アンカーを擁壁等の壁面に打ち込み、その後、前記擁壁表面に植物の根を保持する基盤砂を吹き付け、同基盤砂の上面から連続的に牽引して保護網を該基盤砂表面に被着させ、前記係止手を該保護網に係止させてなる擁壁等の緑化用アンカ−を用いた擁壁等に対する保護網の架設方法である。基盤砂は擁壁上方より流下させてもよく、また、打設した緑化用アンカーのアンカピンの上端に鉄筋を交差状に配筋した後に基盤砂を吹き付けてもよい。
【００１５】
【実施例】
以下、添付図面に基づき本発明の好適な実施例を説明する。
図は本発明の好適な実施例を示しており、図１または図２において、本発明に係る擁壁等の緑化用アンカ−１０の第１実施例の基本構成が示されている。
【００１６】
図より明らかなように、この緑化用アンカ−１０は、正面視略Ｔ字状に形成され、一端が壁面に打ち込まれるアンカピン１２と、このアンカピン１２の上端側に固定された羽根体１８を有している。この羽根体１８は、主に擁壁面１４に打設される植物の根を保持する基盤砂１６の保持を行なう。
【００１７】
本実施例では、アンカピン１２は、ステンレス製丸棒体の壁面支持側の端部を円錐状に先鋭に切削し、コンクリ−ト等の擁壁面１４への打込が容易に行なえるように形成されている。しかしながら、このアンカピン１２は、後述する羽根体１４が擁壁面１４に対して略直交状になるように配置され、かつ、擁壁面１４に安定的に係合し、支持されればよくアンカピン１２の前記端部にフランジやボルト穴等の係着部を設け、予め擁壁面１４に設置した係合部にネジ止め、あるいは溶接固定してもよい。
【００１８】
アンカピン１２は、本実施例のようにステンレス製丸棒体とは限らず、パイプ体や板体として形成してもよく、その素材も炭素工具鋼、コ−テッド超硬合金、ハイス等の金属、また、軽合金、セラミックス、プラスチック、硬質ゴム等好適と思われるものを選択して用いてもよい。
【００１９】
羽根体１８は、アンカピン１２と同様にステンレス製で図１または図２からも明らかなように正面視略矩形の板体２０で、かつ、この板体２０は、表裏両板面が緩やかな略ウエ−ブ状に形成されている。したがって、羽根体１８は板面への引張力や圧縮力に対して強度があり、容易に変形したり破損したりすることがなく、少ない材料でも強度を得ることとなり材料を節約し、装置の重量も軽量となり、擁壁面への取り付け固定作業は比較的軽微なものとなる。
【００２０】
本発明において１つの特徴的なことは、羽根体１４は、アンカピン１２に対し同アンカピン１２の上端が、羽根体１４の上縁と面一状位置で固定されていることである。実施例において羽根体１４はアンカピン１２に対し溶接固定されている。これによって、基盤砂を擁壁面に吹き付けて固化させた時に、緑化用アンカーからの突出部分がなく、よって、この基盤砂上面に被覆する保護網の網目が引っかかるようなことがなく、簡単かつ、連続的、あるいは一気に法面上方に引き揚げることができる。
【００２１】
本発明において他の特徴的なことは、羽根体１４は、アンカピン１２を擁壁面１４に打ち込み同擁壁面１４に植物の根を保持する基盤砂１６を吹き付けた後に基盤砂１６上面から突出し、かつ、同基盤砂１６上面に披着する保護網２２の引き上げを行なう際に同保護網２２の引き上げ方向に屈曲し得る係止手２４を備えていることである。すなわち、図に示すように羽根体１４の両側端寄りの２箇所に係止孔２６が穿孔されている。この係止孔に係止手１４となるある程度の可撓性を備えた金属線条または金属板の一部を通係、あるいは他の連結方法で係止固定させ、他端側を法面上に被着した保護網としての金網の網目等に結束その他の任意の固定手段で固定するものである。
【００２２】
本実施例では、係止手２４は金属線条であり、その羽根体１８への係止固定部分は係止孔２６に前記金属線条を通貫しきつく捩るようにして強力に固定されている。金属線条の係止孔２６への固定は、溶接、ハンダ付け等任意の方法によって固定してもよく要は基盤砂１６の吹き付け時に他端側が基盤砂そのものに埋没するようになって保護網への固定ができないようにならなければよいものである。係止手そのものは金属線条、あるいは金属板である必要はない。前記した機能を満たし得るものであれば、合成樹脂、その他の任意素材を用いても良い。
【００２３】
これによって、壁面に披着させる保護網２２の壁面への引き上げ作業時に該係止手２４の端部側は保護網２２の引き上げ方向に変位するので補助作業者の補助操作を必要とせず連続的に、一気に短時間で保護網２２を引きあげる作業を実現することとなる。また、羽根体１８に取り付け孔等を穿孔させておいてこの孔に金属線条や金属板等を通係させて用いることにより、装置構成が非常に簡単であり、極めて低廉に製造することとなる。さらに、引上げ作業が終了した保護網２２は、係止手２４となる金属線条や金属板を巻きつけるだけで容易にしかも確実に保護網２２を係止でき、突風等によって引きはがされることも無く保護網２２被着後の植物の種子等が混入した植生基盤２８の吹きつけ作業時に保護網２２が壁面から離脱するといった事故を防ぐこととなる。また、アンカピン１２を壁面に打ち込みある程度乱雑に基盤砂１６を吹きつけても基盤砂１６上面に前記係止手２４が突設することとなる。この係止手２４となる金属線条や金属板は、ある程度の可撓性を備えていることが好適であり、バネ鋼、ピアノ線、硬鋼線、ステンレス鋼帯、ベリリウム銅等の金属や、その他任意の素材を用いてもよい。
【００２４】
さらにこの羽根体１８は、保湿部材３０が同羽根体１８に巻きつくように披着されており、壁面に植生させる植物に常に水分を供給するので壁面の緑化における水分供給を確実に行なうこととなる。この保湿部材３０はポリウレタンなどの発泡合成樹脂などに限らず、たとえば石綿、ガラス綿、微粉鉱物などを素材にした保湿部材を用いてもよい。そしてその被着方法も塗料液状にして塗布する方法、微粉状にして粉体塗装する方法、あるいは布状にして貼り着したり、巻き付ける方法等から任意に選択してもよい。
【００２５】
次に、図３、４、５に基づいて本発明の緑化用アンカ−に係る第２実施例を説明するが、前記実施例と同一構成、或いは同一部材には同一符号を付しその説明を省略する。図３に示すように、この実施例においてもアンカピン１２と、このアンカピン１２の上端側に固定される羽根体１８とを備え、このアンカピン１２の上端は羽根体１８の上縁と面一状で羽根体に固定されている。また、この実施例では保湿部材３０が披着されている。
【００２６】
本第２実施例で特徴的なことは、係止手２４が羽根体１８本体に設けられ、保護網２２の引き上げ方向にのみ回動可能に取り付けられた変向部３２を備えている点である。すなわち、図４または５に示すように係止手２４は、下端部が羽根体１８本体側に接続固定され、上端側に保護網２２との係止を行なうスナップ部材３４が一体的に設けられた回動ア−ム３６ａを含む。実施例において、下端部は羽根体１８本体に回動ア−ム３６ｂが取り付けられており、この回動アーム３６ｂに対し、ピン３８によって回動アーム３６ａが枢支されている。変向部３２は、このピン３８を含む枢支部と、回動アーム３６ａからなる。
【００２７】
回動ア−ム３６ａは水平断面略コ字状に形成されており、同回動ア−ム３６ａの下端部は、背面方向に向けてＲを形成するように面取りされるとともに、同回動ア−ム３６ａ下端部の背面側は若干切欠されている。回動ア−ム３６ｂは水平断面略コ字状に形成されており、同回動ア−ム３６ｂの上端部分は、係止手２４の直線状態で回動ア−ム３６ａの背面側に当接し、保護網２２の引き上げ方向以外の回動を抑制する係止板４０が回動ア−ム３６ｂの背面に一体的に接続形成されている。
【００２８】
さらに、係止手２４は、同係止手２４を常に直線状態を保持する巻きバネ４２が回動ア−ム３６ａと回動ア−ム３６ｂを枢軸しているピン３８に枢着しており、巻きバネ４２の一端が回動ア−ム３６ａ背面の内壁を押圧するとともに他端側は回動ア−ム３６ｂの背面の内壁を押圧している。したがって、壁面に披着させる保護網２２の壁面への引き上げ作業で保護網２２の網目が係止手２４に引っかかったとしても係止手２４は保護網２２の引き上げ方向に変位するので補助作業者の操作を必要とせず連続的に、一気に保護網２２を引きあげ、短時間で保護網２２の被着作業を終了させることとなる。特に、羽根体１８に変向部３２を取り付けることにより、例えば、常時法面に交差して立設する方向に付勢しつつスプリング作用により引き上げ時に引き上げ方向に変更するような機構としておけば、これに対して、保護網２２の編み目と係合固定されるスナップや、金属線条、あるいは金属板等を取り付ければ、基盤砂１８の吹き付け作業時の係止手２４の倒れ防止も含めて確実に係止手２４による保護網２２と羽根板１８との連結固定を行なえる。
【００２９】
次に上記したような緑化用アンカ−１０を用いた擁壁等に対する保護網の架設方法を説明する。緑化用アンカ−１０は、アンカピン１２と、このアンカピン１２の上端側に固定される羽根体１８とを備え、アンカピン１２の上端は羽根体１８の上縁と面一状、あるいはそれよりも低い位置で羽根体１８に対して固定され、さらに、該羽根体１８には、上端部分が屈曲可能な係止手２４が設けられている。
【００３０】
図６または７に示すように緑化用アンカ−１０をコンクリ−トやモルタル等を固化し擁壁等の壁面１４に緑化用アンカ−１０の羽根体１８で幾重にも階層をなすように一定の間隔をおいて整然と多数個打設する。その後、擁壁表面１４に植物の根を保持する基盤砂１６を緑化用アンカ−１０のアンカピン１２及び羽根体１８が同基盤砂１６中に埋没するように吹き付け施工を行なう。
【００３１】
この時、図７に示すように緑化用アンカ−１０のアンカピン１２と羽根体１８は前記基盤砂１６内にほぼ埋設してしまうが、この羽根体１８に設けられた係止手２４は、基盤砂１６上面に突出する。そして、同基盤砂１６の上面から連続的に牽引して保護網２２を基盤砂１６へ披着させる。牽引を行なう保護網２２の編み目は、基盤砂１６上面に突出した緑化用アンカ−１０の係止手２４に引っ掛かるがこの係止手２４は前記編み目の牽引力により保護網２２の引き上げ方向に屈曲し、同保護網２２は係止手２４に係止されることなく連続的に被着位置まで引き上げられる。
【００３２】
このようにして基盤砂１６表面に被着が終了した保護網２２は、同基盤砂１６上面の係止手２４によって係止され、風雨や植物の種子等を混入させた植生基盤２８の吹き付け作業時等で同保護網２２の被着状態が強力に保持される。
【００３３】
以上説明したように、本発明は、擁壁等の緑化において土壌を保持するためのアンカ−であって、壁面１４に打ち込まれるアンカピン１２と、このアンカピン１２の上端側に固定される羽根体１８と、を備え、このアンカピン１２の上端は前記羽根体１８の上縁と面一状、あるいはそれよりも低い位置で該羽根体１８に対して固定され、さらに、壁面１４に打ち込まれた羽根体１８には、前記擁壁の壁表面１４に植物の根を保持する基盤砂１６を吹き付けた後に該基盤砂１６上面から突出し、かつ、同基盤砂１６上面に披着する保護網２２の引き上げを行なう際に同保護網２２の引き上げ方向に屈曲し得る係止手２４を備えてなる擁壁等の緑化用アンカ−１０である。
【００３４】
保護網２２の引き上げ作業時に、擁壁面１４に点在する緑化用アンカー１０のピン突出部に金網の編み目が係止して作業中断を余儀なくされることなく、連続して短時間で一気に引き上げを行ない、同金網引き上げ作業効率を大幅に向上させることとなる。また、法面上を補助作業者が移動しながら引っ掛かり除去等を行なう必要がなく、作業者の落下事故等が防止される結果、作業の安全が確保されるとともに、壁面の中間に補助作業者そのものが居る必要がないから、作業人員も少なくて済み、人件コストの大幅な節約を実現する。同時に、金網被着後の緑化用アンカー１０に対する金網の係止固定を確実に行ない保護網２２の布設後に基盤砂１６の上面側から吹き付けられる植生基盤２８等の壁面保護が確実に行ない、崩落、地滑り等の予防をも達成して、擁壁面緑化の実効を確実に保持することとなる。
【００３５】
また、本発明は、アンカピン１２と、このアンカピン１２の上端側に固定される羽根体１８と、を備え、このアンカピン１２の上端は前記羽根体１８の上縁と面一状、あるいはそれよりも低い位置で該羽根体１８に対して固定され、さらに、該羽根体１８には、上端部分が屈曲可能な係止手２４が設けられた緑化用アンカー１０を擁壁等の壁面１４に打ち込み、その後、前記擁壁表面１４に植物の根を保持する基盤砂１６を吹き付け、同基盤砂１６の上面から連続的に牽引して保護網２２を該基盤砂表面１６に被着させ、前記係止手２４を該保護網２２に係止させてなる擁壁等の緑化用アンカ−を用いた擁壁等に対する保護網の架設方法である。
【００３６】
このような方法により、保護網２２の引き上げを妨げるものがなく壁面途中に保護網引き上げ作業の補助を行なう作業者を配置する必要もなく保護網２２を引き上げ、壁面に被覆させ作業者の落下事故等の防止を行なうとともに、保護網２２と羽根板との連結をも確実に行ない植生基盤２８の強化を図り、もって、壁面の緑化作業を実効化し、かつ迅速化し安全なものとすることとなる。
【００３７】
本発明は上記した実施例構成にのみ限定されるものではなく、特許請求の範  囲に記載した発明の本質を逸脱しないかぎりにおいて任意の改変を加えても良  い。
【００３８】
【発明の効果】
以上説明したように、請求項１に係る擁壁等の緑化用アンカ−によれば、擁壁等の緑化において土壌を保持するためのアンカ−であって、壁面に打ち込まれるアンカピンと、このアンカピンの上端側に固定される羽根体と、を備え、このアンカピンの上端は前記羽根体の上縁と面一状、あるいはそれよりも低い位置で該羽根体に対して固定され、さらに、壁面に打ち込まれた羽根体には、前記擁壁の壁表面に植物の根を保持する基盤砂を吹き付けた後に該基盤砂上面から突出し、かつ、同基盤砂上面に披着する保護網の引き上げを行なう際に同保護網の引き上げ方向に屈曲し得る係止手を備えてなるので、保護網の引き上げ作業時に、擁壁面に点在する緑化用アンカーのピン突出部に金網の編み目が引っかかって作業中断を余儀なくされることなく、連続して短時間で一気に引き上げを行なえ、同金網引き上げ作業効率を大幅に向上させることが可能である。また、法面上を補助作業者が移動しながら引っ掛かり除去等を行なう必要がなく、作業者の落下事故等が防止される結果、作業の安全が確保されるとともに、壁面の中間に補助作業者そのものが居る必要がないから、作業人員も少なくて済み、人件コストの大幅な節約を実現できる。同時に、金網被着後の緑化用アンカーに対する金網の係止固定を確実に行なえるから保護網の布設後に基盤砂の上面側から吹き付けられる植生基盤等の壁面保護が確実に行なわれ、崩落、地滑り等の予防をも達成して、擁壁面緑化の実効を確実に保持し得るという効果を奏する。
【００３９】
請求項２に係る擁壁等の緑化用アンカ−によれば、前記係止手は、一部が前記羽根体に固定されたある程度の可撓性を備えた金属線条又は金属板であることにより、壁面に披着させる保護網の壁面への引き上げ作業時に該係止手の端部側は保護網の引き上げ方向に変位するので補助作業者の補助操作を必要とせず連続的に、一気に短時間で保護網を引きあげる作業を実現できる。また、羽根体に取り付け孔等を穿孔させておいてこの孔に金属線条や金属板等を通係させて用いることができるから、装置構成が非常に簡単であり、極めて低廉に製造し得る。さらに、引上げ作業が終了した保護網は、係止手となる金属線条や金属板を巻きつけるだけで容易にしかも確実に保護網を係止でき、突風等によって引きはがされることも無く保護網被着後の植物の種子等が混入した植生基盤の吹きつけ作業時に保護網が壁面から離脱するといった事故を防ぐことができる。また、アンカピンを壁面に打ち込みある程度乱雑に基盤砂を吹きつけても基盤砂上面に前記係止手が突設し得る。
【００４０】
請求項３に係る擁壁等の緑化用アンカ−によれば、前記係止手は、前記羽根体本体に設けられ、前記保護網の引き上げ方向にのみ回動可能に取り付けられた変向部を備えてなることにより、壁面に披着させる保護網の壁面への引き上げ作業で保護網の編み目が係止手に引っかかったとしても係止手は保護網の引き上げ方向に変位するので補助作業者の操作を必要とせず連続的に、一気に保護網を引きあげることができ、短時間で保護網の被着作業を終了させることが可能である。特に、羽根体に変向部を取り付けることにより、例えば、常時法面に交差して立設する方向に付勢しつつスプリング作用により引き上げ時に引き上げ方向に変更するような機構としておけば、これに対して、保護網の編み目と係合固定されるスナップや、金属線条、あるいは金属板等を取り付ければ、基盤砂の吹き付け作業時の係止手の倒れ防止も含めて確実に係止手による保護網と羽根板との連結固定を行なえる。
【００４１】
請求項４に係る擁壁等の緑化用アンカ−によれば、前記羽根体は、保湿部材が披着されてなることにより、壁面に植生させる植物に常に水分を供給するので壁面の緑化における水分供給を確実に行なうことができる。
【００４２】
請求項５に係る擁壁等の緑化用アンカ−を用いた擁壁等に対する保護網の架設方法によれば、アンカピンと、このアンカピンの上端側に固定される羽根体と、を備え、このアンカピンの上端は前記羽根体の上縁と面一状、あるいはそれよりも低い位置で該羽根体に対して固定され、さらに、該羽根体には、上端部分が屈曲可能な係止手が設けられた緑化用アンカーを擁壁等の壁面に打ち込み、その後、前記擁壁表面に植物の根を保持する基盤砂を吹き付け、同基盤砂の上面から連続的に牽引して保護網を該基盤砂表面に被着させ、前記係止手を該保護網に係止させてなるので、保護網の引き上げを妨げるものがなく壁面途中に保護網引き上げ作業の補助を行なう作業者を配置する必要もなく保護網を引き上げ、壁面に被覆させることができ作業者の落下事故等の防止を行なうとともに、保護網と羽根板との連結をも確実に行なえて植生基盤の強化を図り、もって、壁面の緑化作業を実効化させ、かつ迅速化し安全なものとすることができる。
【図面の簡単な説明】
【図１】本発明の第１実施例に係る擁壁等の緑化用アンカ−の概略斜視図である。
【図２】同実施例に係る擁壁等の緑化用アンカ−の側面図である。
【図３】本発明の第２実施例に係る擁壁等の緑化用アンカ−の概略斜視図である。
【図４】同実施例に係る擁壁等の緑化用アンカ−の係止手の一部切欠側面図である。
【図５】同実施例に係る擁壁等の緑化用アンカ−の係止手の正面図である。
【図６】本発明の第１または第２実施例に係る擁壁等の緑化用アンカ−の使用状態説明図である。
【図７】同緑化用アンカ−の使用状態を壁面下部より見あげた図である。
【図８】従来の羽根付アンカ−を用いた壁面緑化作業状態説明図である。
【符号の説明】
１０  緑化用アンカ−
１２  アンカピン
１４  擁壁面
１６  基盤砂
１８  羽根体
２２  保護網
２４  係止手
２８  植生基盤
３０  保湿部材
３２  変向部
【図１】
0003728570.tif 000002
【図２】
0003728570.tif 000003
【図３】
0003728570.tif 000004
【図４】
0003728570.tif 000005
【図５】
0003728570.tif 000006
【図６】
0003728570.tif 000007
【図７】
0003728570.tif 000008
【図８】
0003728570.tif 000009